(57)【要約】【課題】保水効果の持続性を確保しながら、放熱性も持たせることができるようにする。【解決手段】保水層２と、放熱層３とを有し、保水層２と放熱層３とが一体化されていることを特徴とするコンクリート養生シート１。【選択図】図１
2014152559.tif 000002
【特許請求の範囲】
【請求項１】
保水層と、
放熱層とを有し、該保水層と放熱層とが一体化されていることを特徴とする放熱シート。
【請求項２】
保水層と、
放熱層とを有し、該保水層と放熱層とが一体化されていることを特徴とするコンクリート養生シート。
【請求項３】
請求項１に記載の放熱シートにおいて、
上記保水層と上記放熱層との間に、水を透過させない不透水層が設けられ、
上記保水層、上記不透水層及び上記放熱層が積層一体化されていることを特徴とする放熱シート。
【請求項４】
請求項１に記載の放熱シートにおいて、
上記保水層と上記放熱層との間に、断熱層が設けられ、
上記保水層、上記断熱層及び上記放熱層が積層一体化されていることを特徴とする放熱シート。
【請求項５】
請求項２に記載のコンクリート養生シートにおいて、
上記保水層と上記放熱層との間に、水を透過させない不透水層が設けられ、
上記保水層、上記不透水層及び上記放熱層が積層一体化されていることを特徴とするコンクリート養生シート。
【請求項６】
請求項２に記載のコンクリート養生シートにおいて、
上記保水層と上記放熱層との間に、断熱層が設けられ、
上記保水層、上記断熱層及び上記放熱層が積層一体化されていることを特徴とするコンクリート養生シート。
【発明の詳細な説明】
【技術分野】
【０００１】
本発明は、例えば屋外で使用することができる放熱シート及びコンクリート養生シートに関するものである。
【背景技術】
【０００２】
一般に、コンクリート工事においては、コンクリートの強度、耐久性、水密性等の所要の品質を確保するため、コンクリートの打ち込み後、一定期間を硬化に必要な温度及び湿度に保つ、いわゆる養生が必要である。
【０００３】
養生方法としては様々あり、例えば、コンクリートの表面に水を撒く散水養生、湿ったむしろ等をコンクリート表面に被せる湿布養生、堰をつくって水を溜める湛水養生、コンクリート表面にラップを巻く養生方法、コンクリート表面をブルーシートで覆う養生方法等がある（従来技術１）。
【０００４】
また、コンクリート表面にスポンジマットを敷いて散水する養生方法も知られている（従来技術２）。
【０００５】
また、例えば特許文献１には、コンクリート表面の減少した分の水分を補給するコンクリート養生シートとして、水を吸収することによって膨潤する湿潤材を突出体に成形して基材シートに一体に設けたものが開示されている（従来技術３）。
【０００６】
また、例えば特許文献２には、水を吸収することによって膨潤する湿潤材を含む保湿シートと、断熱材からなる保温シートとを積層状態で一体化したコンクリート養生シートが開示されている（従来技術４）。
【０００７】
さらに、例えば特許文献３には、断熱部材を防水性シートで被包する断熱用マットと、この断熱用マットの片面に設けられた湿潤用マットとからなるコンクリート養生シートが開示されている（従来技術５）。
【先行技術文献】
【特許文献】
【０００８】
【特許文献１】特許第３７５４２８４号公報
【特許文献２】特開２０１０−１９６３９６号公報
【特許文献３】特開平６−２８５８３２号公報
【発明の概要】
【発明が解決しようとする課題】
【０００９】
しかしながら、上記従来技術１、２では、コンクリート表面の保水効果を十分に持続させるのが難しく、また、コンクリートが外気温や日射の影響を直接的に受けることになるので、適切な温度範囲に保つことができない場合がある。
【００１０】
また、上記従来技術３では、湿潤材を設けているので保水効果は持続するが、断熱作用がないので外気温や日射の影響でコンクリート表面の温度変化が大きくなり、適切な温度範囲に保つことができない場合がある。
【００１１】
また、上記従来技術４では、保湿シートと保温シートを有しているので、保水効果は持続し、また、外気温の影響はある程度低減できると考えられるが、夏季の炎天下等の強い日射環境では適切な温度範囲に保つことができない場合がある。
【００１２】
また、上記従来技術５では、断熱用マットと湿潤用マットとを有しているので、保水効果は持続し、また、外気温の影響はある程度低減できると考えられるが、やはり、夏季の炎天下等では適切な温度範囲に保つことができない場合がある。
【００１３】
本発明は、かかる点に鑑みてなされたものであり、その目的とするところは、保水効果の持続性を確保しながら、放熱性も持たせることができるようにすることにある。
【課題を解決するための手段】
【００１４】
上記目的を達成するために、第１の発明は、保水層と、放熱層とを有することを特徴とする放熱シートである。
【００１５】
この構成によれば、保水層が保水しているので、例えば湿潤状態を作り出すことが必要な場合に本発明の放熱シートを用いることで、保水層の水によって湿潤効果を持続して得ることが可能になる。
【００１６】
また、炎天下や他の熱源によって加熱される環境下で本発明の放熱シートを用いることで、保水層の水によって対象物を冷却しながら、受けた熱を放熱層によって放熱することが可能になるので、効率よく、かつ、持続的に対象物の温度上昇を抑制することが可能になる。
【００１７】
したがって、例えば、アスファルトやコンクリート構造物、地面等に放熱シートを敷くことで、それらの温度上昇が抑制される。また、工事現場の事務所周りや、休憩所の周りに放熱シートを敷くことで周辺外気温が低下するので、省エネルギー対策にもなる。
【００１８】
また、日射やその他熱源によって熱くなった構造物（例えば屋根）や部材（例えば鉄板やＨ型鋼）の上で作業を行う場合、放熱シートを適当な大きさにカットして足元に敷いておくことで、足元の温度及び作業領域内の温度が低下し、作業環境の改善を図ることができる。
【００１９】
第２の発明は、保水層と、
放熱層とを有し、該保水層と放熱層とが一体化されていることを特徴とするコンクリート養生シートである。
【００２０】
この構成によれば、保水層が保水している水によってコンクリート表面に水分を補給することが可能になるので、コンクリート表面の湿潤状態を十分に持続させることができる。さらに、炎天下では太陽光の熱を放熱層で放熱することが可能になり、また、コンクリートの硬化時に発生する熱も放熱することが可能になるので、コンクリートの温度上昇を抑制して適切な温度範囲に保つことが可能になる。
【００２１】
第３の発明は、第１の発明において、
上記保水層と上記放熱層との間に、水を透過させない不透水層が設けられ、
上記保水層、上記不透水層及び上記放熱層が積層一体化されていることを特徴とするものである。
【００２２】
この構成によれば、保水層の水が放熱層側に達しないので、湿潤状態を長期間に亘って十分に持続させることが可能になる。
【００２３】
第４の発明は、第１の発明において、
上記保水層と上記放熱層との間に、断熱層が設けられ、
上記保水層、上記断熱層及び上記放熱層が積層一体化されていることを特徴とするものである。
【００２４】
この構成によれば、外気温の変化が保水層に直接的に作用しなくなる。
【００２５】
第５の発明は、第２の発明において、
上記保水層と上記放熱層との間に、水を透過させない不透水層が設けられ、
上記保水層、上記不透水層及び上記放熱層が積層一体化されていることを特徴とするものである。
【００２６】
この構成によれば、保水層の水が放熱層側に達しないので、コンクリート表面の保水効果を長期間に亘って十分に持続させることが可能になる。
【００２７】
第６の発明は、第２の発明において、
上記保水層と上記放熱層との間に、断熱層が設けられ、
上記保水層、上記断熱層及び上記放熱層が積層一体化されていることを特徴とするものである。
【００２８】
この構成によれば、外気温の変化がコンクリートに直接的に作用しなくなるので、コンクリートの温度を適切な範囲に保つことが可能になる。
【発明の効果】
【００２９】
第１の発明によれば、保水層と放熱層とを有しているので、湿潤効果の持続性を確保しながら、放熱性も持たせることができる。これにより、例えば炎天下での環境改善をエネルギー消費を抑制しながら実現することができる。
【００３０】
第２の発明によれば、保水層と放熱層とを有するコンクリート養生シートとしたので、湿潤効果の持続性を確保しながら、放熱性も持たせることができ、よって、コンクリートの打ち込み後、一定期間、温度及び湿度を適切な範囲に保つことができる。
【００３１】
第３の発明によれば、保水層と放熱層との間に不透水層を設けたので、湿潤状態を長期間に亘って十分に持続させることができる。
【００３２】
第４の発明によれば、保水層と放熱層との間に断熱層を設けたので、保水層の温度変化を抑制できる。
【００３３】
第５の発明によれば、保水層と放熱層との間に不透水層を設けたので、コンクリート表面の湿潤効果を長期間に亘って十分に持続させることができる。
【００３４】
第６の発明によれば、保水層と放熱層との間に断熱層を設けたので、コンクリートの温度を適切な範囲に保つことができる。
【図面の簡単な説明】
【００３５】
【図１】実施形態１に係るコンクリート養生シートの斜視図である。
【図２】図１のII−II線断面図である。
【図３】実施形態２に係るコンクリート養生シートの斜視図である。
【図４】図３のIV−IV線断面図である。
【発明を実施するための形態】
【００３６】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３７】
（実施形態１）
図１は、本発明の実施形態１に係るコンクリート養生シート１の斜視図であり、図２は、実施形態１に係るコンクリート養生シート１の断面図である。コンクリート養生シート１は、例えば、コンクリートダム、橋梁スラブ、橋脚等の一般的なコンクリート構造物を構築する際の養生を行う場合に好適であるが、後述するように、コンクリートの養生以外にも外気温を低下させたい場合に地面等に敷いて使用することもできる。
【００３８】
コンクリート養生シート１の幅は、現場での取扱いのし易さを考慮して設定すればよく、例えば１ｍ程度が好ましい。また、コンクリート養生シート１の長さは例えば２０ｍ程度が好ましい。
【００３９】
コンクリート養生シート１は三層構造である。すなわち、コンクリート養生シート１は、該シート１の裏面（コンクリートに接触する面）側に位置する保水層２と、該シート１の表面側に位置する放熱層３と、保水層２及び放熱層３の間に位置する不透水層４とを備え、保水層２、不透水層４及び放熱層３が積層一体化されている。
【００４０】
保水層２としては、保水、即ち水を保持することができるものであればよく、特に限定されないが、例えば、マイクロファイバーやスポンジ、合成繊維からなる不織布、織布や、これを基材として高分子水吸収体を固定したもの、または繊維に高分子水吸収体を一体化したもの等を用いることができる。また、上記不織布としては、ポリエステル、アクリル・レーヨン不織布等を用いるのが好ましい。また、保水層２は、上記例示したものを複数種組み合わせたものであってもよい。保水層２が有する性質としては、自身が保持している水を、コンクリート表面に徐々に供給してコンクリート表面の湿潤状態を安定して長時間に亘って維持できる性質である。
【００４１】
上記高分子水吸収体は、例えば、ポリアクリル酸ナトリウム等のポリアクリル酸系、カルボキシメチルセルロース等のセルロース系などを挙げることができる。その他、クロロプレンゴム又はハイパロンゴム等を主体としたゴム系と、ポリ塩化ビニル系と、ポリウレタン系等の二液反応型及び湿気硬化型等のものを用いることができる。
【００４２】
不透水層４は、水を透過させないフィルムやシート等で構成することができ、特に限定されないが、例えば、ポリエチレンフィルム等の合成樹脂フィルム、その他種々のメンブレンを用いることができる。
【００４３】
放熱層３は、水の気化熱を利用することによって放熱するように構成されたものが好ましいので、水を吸収してそれが蒸発可能な状態で保持することができるものであれば特に限定されないが、例えば、マイクロファイバーやスポンジ、合成および天然繊維不織布、織布や、柔軟性のある軟質樹脂系発泡体などが好ましい。また、放熱層３による放熱効果の持続性を高めるのであれば、上記保水層２と同様のものを使用してもよい。また、放熱層３は、上記例示したものを複数種組み合わせたものであってもよい。放熱層３は、コンクリートの養生期間中に発生する熱を逃がすことができるものである。
【００４４】
上記保水層２、不透水層４及び放熱層３は、例えば接着剤による接着や熱溶着等の手法によって積層状態で一体化する。不透水層４を保水層２や放熱層３にラミネートすることも可能である。
【００４５】
次に、上記コンクリート養生シート１を使用する場合について説明する。コンクリート養生シート１の保水層２には、予め水を吸収させておく。コンクリート構造物の構築現場においてコンクリートを打ち込んだ後、コンクリート養生シート１を、その保水層２がコンクリート表面に接触するように敷設する。
【００４６】
保水層２は水を保持するものからなるので、コンクリート表面の湿潤状態が長期間に亘って持続する。この保水層２の水分がコンクリート表面の減少した分の水分を補給することになるので、コンクリート表面を湿潤状態に保つことができる。
【００４７】
コンクリート養生シート１の敷設後、放熱層３に散水すると放熱層３が水を吸収する。放熱層３に吸収された水は、日光や外気によって徐々に蒸発していくが、そのときの気化熱により保水層２の熱を奪い取るので、コンクリート養生面の温度上昇を抑えることができる。放熱層３の水を吸収させる工程は、コンクリート養生シート１の敷設後であってもよいし、敷設前であってもよいが、作業性を考慮すると敷設後の方が好ましい。また、放熱層３の水が無くなった場合には再び散水すればよい。
【００４８】
また、この実施形態では、コンクリート養生シート１の保水層２と放熱層３との間に不透水層４を設けているので、保水層２の水が放熱層３側に達することはなく、炎天下であってもコンクリートを湿潤状態に保ち続けることができる。
【００４９】
以上説明したように、この実施形態１に係るコンクリート養生シート１によれば、保水層２と放熱層３とを有しているので、湿潤効果の持続性を確保しながら、放熱性も持たせることができ、よって、コンクリートの打ち込み後、一定期間、温度及び湿度を適切な範囲に保つことができる。
【００５０】
また、保水層２と放熱層３との間に不透水層４を設けているので、コンクリート表面の保水効果を長期間に亘って十分に持続させることができる。
【００５１】
また、放熱層３は水の気化熱を利用したものなので、簡単な構成で高い効果を得ることができるとともに、低コスト化も実現できる。放熱層３の水は必要に応じて補給すればよく、長期間に亘って放熱効果を得ることができる。
【００５２】
尚、上記実施形態１では、不透水層４を設けているが、これに限らず、不透水層４を省略してもよい。
【００５３】
（実施形態２）
図３は、本発明の実施形態２に係るコンクリート養生シート１の斜視図であり、図４は、実施形態２に係るコンクリート養生シート１の断面図である。
【００５４】
実施形態２のコンクリート養生シート１は、実施形態１のものに対し、中間層、即ち、不透水層の代わりに断熱層５を設けた点で異なっており、保水層２及び放熱層３は同じであるため、以下、実施形態１と異なる部分について説明する。
【００５５】
断熱層５を設けることで、コンクリート養生シート１に断熱性を持たせることができる。これにより、例えば外気温が低い場合に保温効果を発揮するので冬場での使用にも適している。
【００５６】
断熱層５としては、例えば柔軟性のある発泡ポリエチレンや発泡ウレタン、発泡ポリウレタン等の軟質樹脂発泡体を使用することができる。このとき軟質樹脂発泡体が独立気泡構造のものであれば吸水性は低いので不透水層を省略し、一方、連続気泡構造である場合は吸水性が高いので不透水層（図示せず）を保水層２と断熱層５の間及び断熱層５と放熱層３の間に設けるのが好ましい。
【００５７】
軟質樹脂発泡体とすることで、コンクリート養生シート１を運搬する際や保管する際にロール状にすることが容易である。断熱層５の厚みとしては、特に限定されないが、１０ｍｍ〜５０ｍｍ程度である。
【００５８】
この実施形態２のコンクリート養生シート１によれば、実施形態１と同様な作用効果を奏することができるとともに、断熱層５による保温効果を得ることができるので、冬場における養生が確実に行えるようになる。
【００５９】
尚、上記実施形態１、２のコンクリート養生シート１は、コンクリート養生以外にも使用することができ、この場合は、放熱シートとなる。例えば、放熱シートを、夏季のアスファルトやコンクリート、地面等に敷くことで保水層２に吸収されている水によって対象物（アスファルト等）を冷却でき、また、放熱層３で対象物の熱を逃がしてやることができるので、効率よく、かつ、持続的に対象物を冷却できる。例えば、打ち水の代わりに工事現場事務所の周りや、休憩所の周りに放熱シートを敷くことで周辺外気温が下がり、環境改善に繋がり、また、省エネルギー対策にもなる。
【００６０】
また、日射やその他の熱源によって熱くなった構造物（例えば屋根）や部材（例えば鉄板やＨ鋼の上）の上で作業者が作業する場合、適当な大きさにカットした放熱シートを足元に敷いておくと、足元の温度及び作業領域内の温度を低下させることができるので、作業環境を改善できる。
【００６１】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００６２】
以上説明したように、本発明は、コンクリートの養生や、夏季における作業領域の外気温を低下させる場合等に使用できる。
【符号の説明】
【００６３】
１            コンクリート養生シート
２            保水層
３            放熱層
４            不透水層
５            断熱層
【図１】
2014152559.tif 000003
【図２】
2014152559.tif 000004
【図３】
2014152559.tif 000005
【図４】
2014152559.tif 000006